(57)【要約】  【課題】  温度調節を効率的に行うことのできる流体循環式寝具を提供する。  【解決手段】  流体循環式寝具であって、使用者の身体を挿入する袋体と、温度を調節した流体を前記袋体に供給する流体供給ユニットとを有し、前記袋体は、袋体上面及び袋体下面に流路を有し、前記流体供給ユニットは、温度を調節した前記流体を前記流路に供給することを特徴とする。【選択図】  図１
0003220449.tif 000002
【実用新案登録請求の範囲】
【請求項１】
使用者の身体を挿入する袋体と、
温度を調節した流体を前記袋体に供給する流体供給ユニットとを有し、
前記袋体は、袋体上面及び袋体下面に流路を有し、
前記流体供給ユニットは、温度を調節した前記流体を前記流路に供給することを特徴とする、流体循環式寝具。
【請求項２】
請求項１に記載の流体循環式寝具であって、
前記流路は、前記袋体の異なる複数の領域の温度を調節するよう設置され、
当該流体循環式寝具は、入力された指示に従い前記複数の領域の温度調節の切替を行う切替装置を有することを特徴とする、流体循環式寝具。
【請求項３】
請求項１又は２に記載の流体循環式寝具であって、
前記袋体上面及び前記袋体下面は、複数の側地と、前記複数の側地の間に設置される積層体とを有し、
前記積層体は、第１層と、第２層とを有し、
前記流路は、前記第１層と前記第２層との一部を密着させて形成されることを特徴とする、流体循環式寝具。
【請求項４】
請求項３に記載の流体循環式寝具であって、
前記流体は液体であって、
前記流路は前記積層体に対して格子状に設けられ、格子の全体に前記液体が供給されるよう該格子の一部が閉鎖されていることを特徴とする、流体循環式寝具。
【考案の詳細な説明】
【技術分野】
【０００１】
本考案は、流体循環式寝具に関する。
【背景技術】
【０００２】
寝具の温度を調節して、快適な睡眠を促す装置がある。
【０００３】
特許文献１には、「内部に液体１が封入され上部にたるみを持つ水密性の袋体２と、袋体２の表面に配置される流体流入管接続口３と、袋体２の側面または下面に配置される流体排出管接続口４と、流体流入管接続口３で袋体と接続される流体流入管６および流体排出管接続口４で袋体と接続される流体排出管７および流体を循環させる流体循環ポンプ8および循環させる流体を貯留する貯留タンク9とから成り袋体２外部に配置された流体循環経路5と、流体循環経路５内に配置され流体を加熱又は冷却するための熱源器１０と、温度センサからの信号に応じて熱源器の出力と流体の移動を制御する循環制御装置１１と、流体循環経路５内に配置され経路内の気体を適宜排出制御可能なエア抜口１２と、流体循環経路５内、あるいは袋体２の内部あるいは表面に配置され流体の温度を検出する温度センサ１３と、流体排出管接続口４または流入管接続口３または流体循環経路５に接続され袋体２内部上面付近に配置される断面または表面に孔を設けた柔軟性のあるチューブ１４とからなる寝具」に関する技術が開示されている。
【先行技術文献】
【特許文献】
【０００４】
【特許文献１】特開第２００６−３２０６４８号公報
【考案の開示】
【考案が解決しようとする課題】
【０００５】
温度調節を行う寝具として、例えば電気毛布が挙げられる。電気毛布は、横臥した身体の上側を暖める寝具であるが、身体の一方の面のみの温度調節を行うため、その効果は限定的である。また、特許文献１に係る寝具のように、大掛かりな設備を用いて流体の温度調節を行う場合、設備の制約上、温度調節を行う部位が限定される。
【０００６】
本考案は、上記の点に鑑みてなされたものであって、温度調節を効率的に行うことのできる流体循環式寝具を提供するものである。
【課題を解決するための手段】
【０００７】
上記課題を解決するために、本考案の一態様に係る流体循環式寝具は、使用者の身体を挿入する袋体と、温度を調節した流体を前記袋体に供給する流体供給ユニットとを有し、前記袋体は、袋体上面及び袋体下面に流路を有し、前記流体供給ユニットは、温度を調節した前記流体を前記流路に供給することを特徴とする。
【０００８】
上記いずれかの前記流路は、前記袋体の異なる複数の領域の温度を調節するよう設置され、当該流体循環式寝具は、入力された指示に従い前記複数の領域の温度調節の切替を行う切替装置を有することを特徴としてもよい。
【０００９】
上記いずれかの前記袋体上面及び前記袋体下面は、複数の側地と、前記複数の側地の間に設置される積層体とを有し、前記積層体は、第１層と、第２層とを有し、前記流路は、前記第１層と前記第２層との一部を密着させて形成されることを特徴としてもよい。
【００１０】
上記いずれかの前記流体は液体であって、前記流路は前記積層体に対して格子状に設けられ、格子の全体に前記液体が供給されるよう該格子の一部が閉鎖されていることを特徴としてもよい。
【考案の効果】
【００１１】
本考案によれば、温度調節を効率的に行うことのできる流体循環式寝具を提供することができる。
【図面の簡単な説明】
【００１２】
【図１】流体循環式寝具の概要を示す図である。図１（Ａ）は、流体循環式寝具の外観の一例を示す図である。図１（Ｂ）は、袋体の一部の外観の一例を示す図である。
【図２】流体供給ユニット及び切替装置の概要を説明するための図である。図２（Ａ）は、流体供給ユニットの正面図の一例である。図２（Ｂ）は、切替装置の外観の一例を示す図である。
【図３】袋体の構造を説明するための図である。図３（Ａ）は、袋体下部の一部の断面を拡大した図の一例である。図３（Ｂ）は、内布を上から見た図の一例である。図３（Ｃ）は、積層体の一部の断面を拡大した図の一例である。
【図４】積層体の上面図の一例である。図４（Ａ）は、矩形形状の積層体の上面図の一例を示す。図４（Ｂ）は、図４（Ａ）の積層体のうち、ｖ部分を拡大した図の一例である。
【考案を実施するための形態】
【００１３】
以下、図面に基づいて本考案の実施の形態を説明する。図１は、流体循環式寝具１の概要を示す図である。図１（Ａ）は、流体循環式寝具１の外観の一例を示す図である。図１（Ｂ）は、袋体１０の一部の外観の一例を示す図である。
【００１４】
流体循環式寝具１は、袋体１０と、流体供給ユニット１３と、切替装置１４と、ホース１５とを有する。袋体１０は、使用者の身体を挿入する袋状の寝具である。袋体１０は、使用者の頭部に相当する部分に位置する一辺を略凹形状に切り欠いた多角形形状の袋体上面１０ａと、略長方形形状の袋体下面１０ｂとを有し、袋体上面１０ａと袋体下面１０ｂとの少なくとも一辺を互いに縫合して構成される。なお、図１（Ａ）に示す袋体上面１０ａは、使用者の足元に相当する部分が隆起するよう、複数の面で構成されている。このように、袋体上面１０ａ及び袋体下面１０ｂは、複数の面で構成されていてもよい。
【００１５】
図１（Ａ）に示す袋体１０は、使用者の足元の部分に相当する短辺と一方の長辺との２辺が縫合されている。袋体上面１０ａは、２つの頭部片１１を有し、頭部片１１の間が袋体上面１０ａの中央に向かって略凹形状に窪んでいる。頭部片１１及び略凹形状に窪んだ部分は、開口している。
【００１６】
袋体１０は、少なくとも一辺が開口しており、使用者は開口部から身体を挿入する。図１に示す袋体１０は、頭部側の一辺の他、長辺の一方に開口部１２を有する。袋体上面１０ａの有する開口部１２ａと、袋体下面１０ｂの有する開口部１２ｂとは、固定部材により閉じた状態を保つことができる。固定部材には、例えば線ファスナーや面ファスナーを用いることができる。
【００１７】
袋体上面１０ａ及び袋体下面１０ｂは、流体を導く流路を内部に有する。流路の構成については後述する。
【００１８】
流体供給ユニット１３は、温度を調節した流体をホース１５を介して袋体１０に供給する。流体には、液体や気体を用いることができるが、液体を用いることが好ましく、水を用いることがさらに好ましい。流体供給ユニット１３は、ボイラーを内蔵しており、流体を加熱することができる。なお、流体供給ユニット１３は、ボイラーのほか、流体を冷却する冷却装置を有していてもよい。
【００１９】
流体供給ユニット１３は、好ましくは０．５Ｌ以上１Ｌ以下、さらに好ましくは０．７Ｌ以上０．８Ｌ以下の量の流体を収容することができる。また、流体供給ユニット１３は、好ましくは２５度以上７５度以下の温度になるよう、流体の温度調節を行うことができる。
【００２０】
また、流体供給ユニット１３は、ポンプを有し、温度を調節した流体をホース１５に排出するほか、ホース１５から導かれた流体を回収する。回収した流体は流体供給ユニット１３により温度調節され、ホース１５を経由して再度袋体１０に供給される。即ち、流体供給ユニット１３は、袋体１０内の流体を循環させる機能を有する。
【００２１】
流体供給ユニット１３は、切替装置１４と接続するための接続口１３１を背面に有する。また、流体供給ユニット１３は、カバーの一部である蓋１３２を開口させることができる。蓋１３２を開口させることにより、内部の流体の補充やフィルターの交換が可能である。また、蓋１３２は、流体供給ユニット１３への入力操作を受け付けるリモコンの機能を有していてもよい。
【００２２】
一例として、流体供給ユニット１３は、電気を動力とする。そのため、流体供給ユニット１３は、電源ケーブルに接続されているが、本実施形態では図示を省略している。
【００２３】
なお、流体供給ユニット１３は、内部に温度センサーを有する。先述のボイラー又は冷却装置は、温度センサーを用いて、指定された温度になるよう流体の温度を調節する。また、流体供給ユニット１３は、温度過升防止装置を有しており、所定温度以上の流体の温度を検出すると、自動的に加熱を停止する等により、過度の温度上昇を防止する。
【００２４】
また、流体供給ユニット１３は、傾斜センサーを備えており、水平でない状態での使用を防ぐ。そのほか、流体供給ユニット１３は、ボイラー内の流体量（水位）が適切であるか否かを検出する水位センサーや、過電流を検出する過電流センサー、入力操作の受付を中断するロック機能、誤作動防止機能、強制ガイド接点を有する安全リレー装置等を有していてもよい。また、流体供給ユニット１３は、流体内の異物を除去するフィルターを有していてもよい。
【００２５】
切替装置１４は、温度を調節する領域の切替指示の入力操作を受け付ける装置である。袋体１０の有する流路は、異なる複数の領域の温度を調節するよう、袋体１０に設置されている。一例として、流路は、袋体上面１０ａを１つの領域とし、袋体下面１０ｂをもう１つの領域とする２つの領域に設置されている。切替装置１４は、入力された指示に従い、複数の領域の温度調節の切替を行う。
【００２６】
例えば、切替装置１４は、袋体上面１０ａの領域の温度調節を行うか、袋体下面１０ｂの領域の温度調節を行うか、又は袋体上面１０ａ及び袋体下面１０ｂの双方の温度調節を行うかといった切替指示を受け付ける。切替装置１４は、切替指示に応じた領域の流路に流体が供給されるよう、流体を分配する。なお、温度調節の対象となる領域はこれに限られず、例えば袋体上面１０ａと、袋体下面１０ｂとのそれぞれが複数の領域に分割されていてもよい。
【００２７】
切替装置１４は、内部に逆止弁を有し、流体供給ユニット１３からホース１５に排出された流体、又はホース１５から流体供給ユニット１３に進入するよう導かれた流体の逆流を防止する。ホース１５は、流体供給ユニット１３から袋体１０に対して供給される流体、及び袋体１０から流体供給ユニット１３に対して戻ってくる流体を導く。
【００２８】
図２は、流体供給ユニット１３及び切替装置１４の概要を説明するための図である。図２（Ａ）は、流体供給ユニット１３の正面図の一例である。流体供給ユニット１３は、接続口１３１と、蓋１３２とのほか、操作パネル１３３を有する。例えば操作パネル１３３は、電源ボタンと、流体の温度設定の入力操作を受け付けるボタンと、タイマーに関する入力操作を受け付けるボタンとを有する。
【００２９】
図２（Ｂ）は、切替装置の外観の一例を示す図である。切替装置１４は、切替スイッチ１４１を有する。切替スイッチ１４１は、温度調節を行う領域を指示する入力操作を受け付ける。図２（Ｂ）に示す切替装置１４は、図２（Ｂ）右側の切替装置１４（操作ダイヤル）を回転させることにより、温度調節を行う領域の指定を受け付ける。
【００３０】
図３は、袋体１０の構造を説明するための図である。図３（Ａ）は、袋体下面１０ｂの一部の断面１６を拡大した図の一例である。図３（Ａ）下方向（−ｙ方向）が重力方向である。
【００３１】
袋体１０は、複数の側地１６１と、内布１６２と、積層体１６３とを有する。内布１６２と積層体１６３とは、複数の側地１６１の間に設置される。側地１６１は、袋体１０の外面を覆う生地である。側地１６１の素材は問わないが、身体が触れる側の側地１６１（例えば、図３（Ａ）の上側の側地１６１）に熱伝導性に優れた布地を用いることにより、効率的に温度調節効果を得ることができる。また、袋体１０の外面を構成する側地１６１（例えば、図３（Ａ）の下側の側地１６１）に断熱性に優れた布地を用いることにより、保温効率又は保冷効率に優れた寝具を構成することができる。
【００３２】
図３（Ｂ）は、内布１６２を上から見た図の一例である。即ち、図３（Ｂ）は、図３（Ａ）の＋ｙ方向から見た内布１６２の一例である。内布１６２は、所定形状の区域を複数有している。図３（Ｂ）は、内布１６２の有するパターンを模式的に示している。一例として、内布１６２は、略ひし形形状である矩形領域ｅを複数有しており、矩形領域ｅはパターンを形成するように配列している。
【００３３】
矩形領域ｅには、テラヘルツ鉱石、トルマリン鉱石、又はブラックシリカ鉱石の粉末と、ラジウムを含む湯の花の精製物との少なくともいずれか１つが所定のパターンで付着している。
【００３４】
テラヘルツ鉱石は、高純度のシリコン（珪素）である。例えば、石英から酸素を除去することにより、高純度のシリコンであるテラヘルツ鉱石を得る。テラヘルツ鉱石は、例えば加熱等の刺激により励起し、テラヘルツ波を発生させると考えられている。テラヘルツ波は、周波数１００ＧＨｚ〜１０ＴＨｚの電磁波であり、周波数が光波と電波との中間領域に該当する。テラヘルツ波を照射することにより、細胞の振動エネルギーが高まり、生命活動が活発化し自然治癒力が向上すると考えられている。
【００３５】
また、トルマリン鉱石は、トルマリンを含む鉱物であって、圧電効果を有しており、マイナスイオンを発生させると考えられている。ブラックシリカ鉱石は、ブラックシリカ（黒鉛珪素）を含む鉱物であって、遠赤外線を放出することにより細胞の活性化を促す効果が期待されている。
【００３６】
ラジウムは、ラジウム放射線を放射する元素であり、生物活性を刺激したり、高線量の放射線の照射に対する抵抗性をもたらしたりする放射線ホルミシス効果を有するものとして注目されている。放射線ホルミシス効果により、体内に活性酸素が発生し、免疫の活性反応を進行させると考えられている。
【００３７】
このようなラジウムを有する天然鉱物として、一般的に北投石が知られているが、北投石は世界で台湾台北州と秋田県の玉川温泉の２か所でしか産出されないため、日本では特別天然記念物に指定されている。現在、日本では北投石の採取は禁止されている。
【００３８】
本実施形態では、玉川温泉で産出される湯の花を、酸、硫黄、重金属等の有害物質を除去することにより精製し、精製物を得る。玉川温泉の温泉水は、ＰＨ１．１〜１．２の強酸性泉（硫化水素含有塩酸性緑ばん泉）であって、北投石とほぼ同程度のラジウム放射線を放射することに着目し、玉川温泉で採取される湯の花を精製することで人工北投石ともいえる精製物を作製する。つまり、湯の花の精製物を付着させた内布１６２を流体循環式寝具１に用いることで、ラジウム放射線がもたらす健康増進効果が期待できる。
【００３９】
また、精製物が放出するラジウムが壊変することにより、ラドンを含む不活性ガスが発生する。ラドンガスは、皮膚組織や神経系等を刺激することにより、ラジウム同様に放射線ホルミシス効果を有すると考えられる。従って、玉川温泉の湯の花の精製物を付着させた内布１６２を流体循環式寝具１に用いることで、皮膚細胞や体内組織が活性化し、健康を増進させることができる。
【００４０】
なお、精製物によるラジウム放射量は、毎分１２００ＣＰＭカウント以上であることが望ましい。ラジウム放射量が毎分１２００ＣＰＭカウント以上あれば、一般的に医療用として充分な効果が期待できるとされているためである。また、ラジウム放射量が多すぎると刺激が強すぎる恐れがあるため、毎分１２００ＣＰＭ〜１６００ＣＰＭカウントの範囲内で放射されることがさらに望ましい。
【００４１】
矩形領域ｅに付着させる湯の花は、玉川温泉で産出されたものが望ましい。しかしながら、本実施形態において用いる湯の花は、玉川温泉で産出されたものに限定されない。
【００４２】
湯の花の精製方法については限定されない。例えば、採取した湯の花を焼成することにより、不純物を除去して精製を行ってもよい。また、矩形領域ｅに対する精製物の付加方法についても、特に限定されない。例えば、精製物を含有させたインクをシルクスクリーン印刷を用いて内布１６２に印刷することにより、精製物を矩形領域ｅに付着させることができる。
【００４３】
内布１６２の有する矩形領域ｅの対角線のうち、長い方の対角線は、望ましくは１０ｍｍ以上２０ｍｍ以下であり、より望ましくは１２ｍｍ以上１６ｍｍ以下である。また、矩形領域ｅの短いほうの対角線は、望ましくは２ｍｍ以上１０ｍｍ以下であり、より望ましくは４ｍｍ以上１０ｍｍｍ以下である。この構成により、矩形領域ｅに付着させた精製物による効果を効率的に享受することができる。
【００４４】
図３（Ｃ）は、積層体１６３の一部の断面を拡大した図の一例である。積層体１６３は、第１層１６３ａと、第２層１６３ｂとを有している。第１層１６３ａ及び第２層１６３ｂには、可撓性のある材料を用いる。例えば、第１層１６３ａ及び第２層１６３ｂには、ポリ塩化ビニル等の樹脂素材を用いることができる。
【００４５】
積層体１６３は、第１層１６３ａと第２層１６３ｂとが互いに密着した密着部１６５を有する。第１層１６３ａと第２層１６３ｂとが密着していない部分の少なくとも一部は、流路１６４として機能する。即ち、流路１６４は、第１層１６３ａと第２層１６３ｂとの一部を密着させることにより形成される。
【００４６】
図４は、積層体１６３の上面図の一例である。図４（Ａ）は、矩形形状の積層体１６３の上面図の一例を示す。図４（Ｂ）は、図４（Ａ）の積層体１６３のうち、ｖ部分を拡大した図の一例である。なお、図４（Ｂ）に示すｓ−ｓ´断面が、図３（Ａ）に示す積層体１６３の断面図である。ｓ−ｓ´断面は密着部１６５の断面であるため、図３（Ａ）では積層体１６３を構成する第１層１６３ａと第２層１６３ｂとが互いに密着している。
【００４７】
また、図４（Ｂ）に示すｔ−ｔ´断面が、図３（Ｃ）に示す積層体１６３の断面図である。ｔ−ｔ´断面では、２つの密着部１６５と、密着部１６５に挟まれた流路１６４とが示される。なお、積層体１６３の形状は任意であり、矩形形状に限定されるものではない。
【００４８】
積層体１６３の一部を密着させることにより、積層体１６３に対し流路１６４が格子状に設けられる。格子の一辺の距離ｆは、身体全体の温度を調節することを考慮すると、望ましくは３ｃｍ以上１２ｃｍ以下であり、さらに望ましくは４ｃｍ以上９ｃｍ以下である。また、流体が水である場合に、円滑に水流の循環を促すためには、流路１６４の幅ｇは、望ましくは０．５ｃｍ以上６ｃｍ以下であり、さらに望ましくは１ｃｍ以上４ｃｍ以下である。
【００４９】
矢印ｗは、流路１６４に導かれる流体を示す。流路１６４は格子状でなくてもよいが、格子状に設けることにより、積層体１６３を上から見た場合の流路１６４の太さが一定となり、より円滑に流体を導くことができる。また、流路１６４を流体が通過することによる、密着部１６５への負担が略均等となり、積層体１６３の劣化を防ぐことができる。
【００５０】
また、積層体１６３には、少なくとも２本のホース１５ａ・１５ｂが接続される。一方のホース１５から流体が積層体１６３に流入し、他方のホース１５から流体が排出され、流体供給ユニット１３へと導かれる。
【００５１】
本実施形態において、袋体１０の有する１つの領域に対して１つの積層体１６３が設置される。流体供給ユニット１３及び切替装置１４は、温度を調節する領域の積層体１６３に対して流体を供給し、積層体１６３内を循環した流体を回収する。切替装置１４は、他の領域の温度調節を行う入力操作を受け付けると、これまで流体を供給していた積層体１６３への供給を停止し、入力操作に応じた領域に設置された積層体１６３に対する流体の供給を開始する。即ち、切替装置１４は、各積層体１６３への流体の供給の切替を行う分配器として機能する。
【００５２】
また、積層体１６３において、密着部１６５は、格子状の流路１６４の壁部分に設けられるだけでなく、流路１６４の一部（即ち格子の一部）を閉鎖するよう設けられている。流路１６４を閉鎖する密着部１６５は、例えばホース１５ａからホース１５ｂへの最短距離の流れを妨げるよう設けられる。これにより、格子状の流路１６４の全体に流体が供給される。
【００５３】
付言すれば、流路１６４は、積層体１６３を用いて構成されるのではなく、例えば各領域に分割して設置されたチューブにより構成されてもよい。その場合も、流路１６４は、側地１６１と内布１６２との間に設けられる。しかしながら、円筒状のチューブにより流路１６４を構成した場合、使用者の体重による負荷がかかる上面側の接地面積が狭く、円筒の一部に負荷が集中する。そのため、使用者の体重によりチューブがへこみ、流体の流れが妨げられる可能性がある。従って、流路１６４は、図３及び図４に示すように、積層体１６３を用いて構成されることが望ましい。
【００５４】
本実施形態の積層体１６３により流路１６４を構成すると、円筒状のチューブに比べ、上面との接地面積を大きくすることができ、負荷を分散させることができる。即ち、使用者の体重が積層体１６３上に分散されるため、流路１６４への体重の影響を抑制することができる。これにより、袋体１０の有する領域全体に対し、適切かつ効率的に温度調節を行うことが可能となる。
【００５５】
以上、本実施形態の流体循環式寝具１によれば、上面又は下面の一方のみでなく、使用者の望む部分の温度調節を行うことができる。また、流体を用いて温度調節を行うため、電気毛布と比べて電磁波の影響を抑制することが可能となる。また、身体を温めるために流体循環式寝具１を用いる場合、電気毛布に比べて就寝中の静電誘導や絶縁不良の心配がなく、効果的に血流を促し、身体に優しい自然な暖かさを提供することができる。
【００５６】
以上、各実施形態に基づき本考案の説明を行ってきたが、上記実施形態に示した要件に本考案が限定されるものではない。上記実施形態に示した要件に関しては、本考案の主旨をそこなわない範囲で変更することができ、その応用形態に応じて適切に定めることができる。
【００５７】
また、上記の流体循環式寝具１の機能構成は、理解を容易にするために、主な処理内容に応じて分類したものである。構成要素の分類の仕方や名称によって、本考案が制限されることはない。流体循環式寝具１の構成は、処理内容に応じて、さらに多くの構成要素に分類することもできる。また、１つの構成要素がさらに多くの処理を実行するように分類することもできる。
【符号の説明】
【００５８】
１：流体循環式寝具、１０：袋体、１０ａ：袋体上面、１０ｂ：袋体下面、１１：頭部片、１２・１２ａ・１２ｂ：開口部、１３：流体供給ユニット、１４：切替装置、１５・１５ａ・１５ｂ：ホース、１６：断面、１３１：接続口、１３２：蓋、１３３：操作パネル、１４１：切替スイッチ、１６１：側地、１６２：内布、１６３：積層体、１６３ａ：第１層、１６３ｂ：第２層、１６４：流路、１６５：密着部、ｅ：矩形領域、ｗ：矢印
【図１】
0003220449.tif 000003
【図２】
0003220449.tif 000004
【図３】
0003220449.tif 000005
【図４】
0003220449.tif 000006